(57)【特許請求の範囲】
【請求項１】
内側に内面凹部を有する外筒と、該外筒内に回転可能に挿入され内側に複数のディスクタンブラーを挿入するための複数のタンブラー挿入孔を軸方向と垂直に並設してなる内筒と、該内筒の該タンブラー挿入孔に挿入される複数のディスクタンブラーと、該ディスクタンブラーの先端部が該外筒の内面凹部内に突出するように該ディスクタンブラーを付勢するコイルばねと、を備えたディスクタンブラー錠において、
胴カバーが該内筒の外周部に該タンブラー挿入孔の先端開口部を覆うように取付られ、該胴カバーには該タンブラー挿入孔と対向した位置に、スリット状のタンブラー用突出孔が該ディスクタンブラーの先端部のみを貫通して突出可能に形成されていることを特徴とするディスクタンブラー錠。
【請求項２】
前記胴カバーはばね弾性を持った金属板を該内筒の外周面に沿った円弧状に曲げて形成され、該胴カバーの両側縁には該内筒の外周部の係止溝に係止される係止部が形成され、位置決め用の凸部が該内筒の外周部に設けた位置決め孔に嵌合するように該胴カバーに設けられたことを特徴とする請求項１記載のディスクタンブラー錠。
【発明の詳細な説明】
【０００１】
【発明の属する技術分野】
本発明は、ディスクタンブラーを使用したディスクタンブラー錠に関し、特に製造時の組立作業の簡単化を図ったディスクタンブラー錠に関する。
【０００２】
【従来の技術】
ディスクタンブラー錠は、一般に、内筒内に多数のディスクタンブラーがコイルばねと共に軸の横断方向に移動可能に収容され、内筒の外側に外筒が被嵌され、適正キーの内筒内への挿入により、ディスクタンブラーの先端を内筒内に引き戻し、外筒の内面凹部に係合するディスクタンブラー先端の係合を解除して、解錠を行なう構造であり、内筒に穿設された多数のスリット状のタンブラー挿入孔内には、各々、ディスクタンブラーが軸の横断方向に移動可能にコイルばねと共に挿入されている。
【０００３】
【発明が解決しようとする課題】
この種の錠の製造時にディスクタンブラー錠を組み立てる場合、内筒内の各々のタンブラー挿入孔にディスクタンブラーをコイルばねと共に挿入し、その状態を保持しながら、内筒の外側に外筒を外嵌させるように被せる作業を行なう。しかしながら、多数の小片部材であるディスクタンブラーを小形のコイルばねと共に挿入孔に挿入し、それらを所定の位置に停止させた状態で、適正キーをキー挿入孔に挿入し全てのディスクタンブラーを内筒内に引き戻した状態で、外筒をその外側に被嵌させて取り付ける作業は、非常に細かい部品を正確に扱う作業となり、非常に煩雑で、それには熟練した技術を必要とし、組付作業に時間がかかることから、組付作業性が非常に悪いという問題があった。
【０００４】
本発明は、上記の点に鑑みてなされたもので、製造時に容易に内筒と外筒を組み付けることができ、組付作業性の改善を図ることができるディスクタンブラー錠を提供することを目的とする。
【０００５】
【課題を解決するための手段】
上記目的を達成するために、本発明のディスクタンブラー錠は、内側に内面凹部を有する外筒と、外筒内に回転可能に挿入され内側に複数のディスクタンブラーを挿入するための複数のタンブラー挿入孔を軸方向と垂直に並設してなる内筒と、内筒のタンブラー挿入孔に挿入される複数のディスクタンブラーと、ディスクタンブラーの先端部が外筒の内面凹部内に突出するようにディスクタンブラーを付勢するコイルばねと、を備えたディスクタンブラー錠において、胴カバーが内筒の外周部にタンブラー挿入孔の先端開口部を覆うように取付られ、胴カバーにはタンブラー挿入孔と対向した位置に、スリット状のタンブラー用突出孔がディスクタンブラーの先端部のみを貫通して突出可能に形成されていることを特徴とする。
【０００６】
【作用】
このような構成のディスクタンブラー錠は、その製造時に組み立てる場合、先ず、内筒内の各タンブラー挿入孔内に、ディスクタンブラーをコイルばねと共に、その先端開口部から内筒内の定位置に差し込む。この状態で、各ディスクタンブラーの先端部は内筒外周部のタンブラー挿入孔の先端開口部から突き出している。次に、胴カバーを、そのタンブラー用突出孔から各ディスクタンブラーの先端部を突出させるようにして、内筒の外周部にはめ合わせ、胴カバーの縁の係止部を、内筒の外周部に嵌着する。この状態で、全てのディスクタンブラーとコイルばねは内筒内の所定の位置に装着され、動かしてもディスクタンブラーとコイルばねが飛び出したり落下することはない。そして、適正キーをキー挿入孔に差し込めば、全てのディスクタンブラーがコイルばねの付勢力に抗して内筒内に引き戻され、外筒内に挿入可能な状態となり、その状態で、外筒内の定位置に内筒を挿入し、内筒を回転可能に、且つ軸方向への移動を阻止するように、止めばねや止めピンで止める。
【０００７】
このように、内筒の各タンブラー挿入孔内に各ディスクタンブラーを挿入した状態で、内筒の外周部に胴カバーを被せるように嵌着させれば、小片のディスクタンブラーやコイルばねが位置ずれや落下したりすることはなく、容易に適正キーを内筒のキー挿入孔に差し込むことができ、突出した各ディスクタンブラーの先端部を内筒内に引き戻せば、内筒ユニットを外筒内に挿入し回転可能に係止させる。
【０００８】
【発明の実施の形態】
以下、本発明の実施の形態を図面に基づいて説明する。図１はディスクタンブラー錠の正面図を、図２はその背面図を示し、図３はその錠の軸方向の縦断面図を、図４〜６はその横断面図を示している。
【０００９】
３はディスクシリンダー錠の外筒で、内筒ユニット１と内筒ユニットに連結される錠軸７とを内側に収容するように長尺に形成され、末端部に取付フランジ３ｂが設けられる。また、外筒３の中間部の外周に、一部を貫通孔とした円周溝３ｃが形成され、図４に示すように、この円周溝３ｃに止めばね８を嵌着して、内側に挿入した内筒ユニット１を所定位置に回転可能に止める。外筒３内の内筒ユニット１が挿入される内面の一部に図５、６の如く、内面凹部３ａが、施錠時に内筒ユニット１の外周方向に突設するディスクタンブラー４の先端部を受け入れて係合させるように、形成される。
【００１０】
内筒ユニット１は、図９〜図１１に示すような形状の内筒２内に、図４〜図６に示す如く、複数のディスクタンブラー４をタンブラー挿入孔２３内にスライド移動可能にコイルばね６で付勢して収容し、タンブラー挿入孔２３の先端開口部２４を、図１２の胴カバー５で覆って構成される。
【００１１】
すなわち、内筒２は、図９〜図１１に示すごとく、正面側にキー挿入孔２１を有し、内部横断方向（軸方向と垂直な面上）に一定の間隔をおいてスリット状のタンブラー挿入孔２３が内筒２内に並行に形成される。これらのタンブラー挿入孔２３は内筒２の両側面に開口し、図９の左側面側の先端開口部２４は、図１０の右側面の開口部より大形に形成され、当該先端開口部２４から各ディスクタンブラー４を各タンブラー挿入孔２３に差し込むことができる。
【００１２】
また、内筒２内の各タンブラー挿入孔２３に併設してコイルばね挿入孔２５が形成される。コイルばね挿入孔２５には、図５、６のように、コイルばね６がディスクタンブラー４を外筒３の内面凹部３ａ側に付勢するように配設される。さらに、内筒２の内側には、キーの移動をガイドするためのガイド凸部２２が形成される。さらに、コイルばね６とディスクタンブラー４を内筒２内に挿入するための先端開口部２４は、図１２に示すような胴カバー５で覆われるが、この胴カバー５の縁の係止部５ａを内筒２の側部に嵌着するために、内筒２の外周面軸方向に係止溝２６が形成される。
【００１３】
胴カバー５は、図１２に示す如く、薄い金属板（約０．５mm厚のステンレス板）を円弧状に曲げ且つばね弾性を持って形成され、そこにスリット状のタンブラー突出孔５ｂが上記タンブラー挿入孔２３に対応し所定の間隔で平行に形成される。これらのタンブラー突出孔５ｂは、各ディスクタンブラー４の先端部４ａのみを外部に突出可能な大きさに形成される。さらに、この胴カバー５には、位置決め用の凸部５ｃが内側に押し出し形成されるが、その凸部５ｃを嵌めるため位置決め孔２９が先端開口部２４の両側に形成される。
【００１４】
一方、内筒２の外周部には、円周溝２７が形成され、この円周溝２７には、内筒２を外筒３内で位置決めして回転可能に係止するための止めばね８が嵌入される。また、内筒２の末端には、錠軸７の先端に嵌入して連結される矩形の連結部２８が形成される。内筒２内の各タンブラー挿入孔２３内に挿入されるディスクタンブラー４は、図５、６に示すように、内部にキーを挿入させる略矩形のキー挿入孔４ｄが形成され、その先端には突出可能な先端部４ａが形成され、先端部４ａの元部寄りにコイルばね６を止めるためのばね止め部４ｂと胴カバー５の突出孔５ｂに係止されてそれ以上の突出を阻止する止め部４ｃが設けられる。
【００１５】
また、ディスイクタンブラー４内側のキー挿入孔４ｄ内には、解錠用キーのキー山に対応した凸部が通常キー用とマスターキー用に両側に設けられ、このキー山の高さに応じて解錠用キーが作られる。
【００１６】
このように構成されたディスクタンブラー錠は、製造時、以下のように組み立てられる。先ず、図９〜１１に示す内筒２内の各タンブラー挿入孔２３と各コイルばね挿入孔２５内に、ディスクタンブラー４とコイルばね６を、その先端開口部２４から定位置に差し込む。この時、先にコイルばね６をコイルばね挿入孔２５に入れ、ディスクタンブラー４のばね止め部４ｂをコイルばね６の先端部に当てるようにタンブラー挿入孔２３に差し込む。この状態で、各ディスクタンブラー４の先端部４ａは内筒２の外周部のタンブラー挿入孔２３の先端開口部２４から突き出している。
【００１７】
次に、図１２に示す胴カバー５を、そのタンブラー用突出孔５ｂから上記の各ディスクタンブラー４の先端部４ａを突出させるように、内筒２の外周部に嵌め合わせ、胴カバー５の縁の係止部５ａを、内筒２の外周部の係止溝２６に嵌着する。この時、胴カバー５はばね弾性を有しているから、内筒２の外周方向から押し付けるだけでその係止部５ａが係止され、内側に突出する位置決め用の凸部５ｃが内筒２側の嵌合孔２９に嵌合して正確に位置決めされ、簡単に取り付けることができる。この状態で、全てのディスクタンブラー４とコイルばね６は内筒２内の所定の位置に装着され、図７、８のように、適正キーＫをキー挿入孔２１に差し込めば、図６のように、全てのディスクタンブラー４がコイルばね６の付勢力に抗して内筒２内に引き戻され、外筒３内に挿入可能な状態となる。
【００１８】
このように組み立てられた内筒ユニット１は、その末端の連結部２８に錠軸７を連結した状態で外筒３内に挿入される。或は錠軸７を先に外筒３内に挿入した状態で、外筒３内に挿入され、内部に連結部２８を介して錠軸７の先端と連結させる。そして、図３、４のように、外筒３の外周部の円周溝３ｃに止めばね８をはめ、外筒３内で内筒２を回転可能に支持し、軸方向への移動を阻止するように止め、ディスクタンブラー錠の組み立てが完了する。
【００１９】
このように、内筒２の各タンブラー挿入孔２３内に各ディスクタンブラー４を挿入し、各コイルばね挿入孔２５内にコイルばね６を挿入した状態で、内筒２の外周部に胴カバー５を被せるように嵌着させれば、小片のディスクタンブラー４やコイルばね６が飛び出したり落下したりすることはなく、容易に適正キーをキー挿入孔２１に差し込むことができ、突出した各ディスクタンブラー４の先端部を内筒内に引き戻した状態とすることができ、このような状態となれば、内筒ユニット１を外筒３内に挿入し回転可能に係止する作業は容易に行なうことができる。
【００２０】
このような長尺で取付フランジ３ｂを備えた外筒３を有するディスクタンブラー錠は、例えば、スロットマシン等のゲーム機の扉の施錠装置に使用され、その錠軸７の突出先端には図示しないカムが固定され、カムは回転して解錠動作するように施錠装置の他の部材に連係される。適正なキーＫをキー挿入孔２１に差し込むと、全てのディスクシリンダー４が内筒２内に引き戻されて、図６に示す状態となり、キーＫと共に内筒２を任意の方向に回して解錠操作することができる。キーＫをキー挿入孔２１から引く抜くと、ディスクシリンダー４の先端部４ａはコイルばね６の付勢力により内筒２から外筒３の内面凹部３ａ内に突出し、内筒２の回転を阻止して施錠状態となる。
【００２１】
【発明の効果】
以上説明したように、本発明のディスクタンブラー錠によれば、内筒の各タンブラー挿入孔内に各ディスクタンブラーを挿入した状態で、内筒の外周部に胴カバーを被せるように嵌着させれば、小片のディスクタンブラーやコイルばねが所定位置から位置ずれや落下したりすることはなく、その後の作業つまり適正キーを内筒のキー挿入孔に差し込んで各ディスクタンブラーの先端部を内筒内に引き戻す作業を簡単に行なうことができ、また、各ディスクタンブラーの先端部を内筒内に引き戻した状態とすれば、内筒ユニットを簡単に外筒内に挿入し止めばね等で回転可能に止めることができ、組付に熟練技術を必要とせず、短時間で容易にディスクタンブラー錠の組み立てを行なうことができる。
【図面の簡単な説明】
【図１】本発明の一実施形態を示すディスクタンブラー錠の正面図である。
【図２】同ディスクタンブラー錠の背面図である。
【図３】同ディスクタンブラー錠の軸方向に沿った断面図である。
【図４】図３のIV-IV 断面図である。
【図５】図３のV-V 断面図である。
【図６】ディスクタンブラーを引き戻した状態のV-V 断面図である。
【図７】内筒ユニット１と錠軸７の側面図である。
【図８】内筒ユニット１と錠軸７の部分断面付き側面図である。
【図９】内筒２の左側面図である。
【図１０】内筒２の右側面図である。
【図１１】内筒２の軸方向に沿った断面図である。
【図１２】胴カバー５の拡大斜視図である。
【符号の説明】
１−内筒ユニット
２−内筒
３−外筒
３ａ−内面凹部
４−ディスクタンブラー
４ａ−先端部
５−胴カバー
５ａ−係止部
５ｂ−タンブラー用突出孔
６−コイルばね
２３−タンブラー挿入孔
２４−先端開口部
【図１】
0003752661.tif 000002
【図２】
0003752661.tif 000003
【図３】
0003752661.tif 000004
【図４】
0003752661.tif 000005
【図５】
0003752661.tif 000006
【図６】
0003752661.tif 000007
【図７】
0003752661.tif 000008
【図８】
0003752661.tif 000009
【図９】
0003752661.tif 000010
【図１０】
0003752661.tif 000011
【図１１】
0003752661.tif 000012
【図１２】
0003752661.tif 000013